(57)【要約】【課題】  運用系および予備系の伝送路が正常に動作する場合において、予備系の伝送路の帯域を従来に比べてより有効に活用することができる技術を提供することを目的とする。【解決手段】  第１の多重部が、第１の信号および第１の信号と規格が異なる第２の信号を多重した多重信号を第１の伝送路に出力し、第２の多重部が、第１の信号および第２の信号を多重した多重信号を第２の伝送路に出力し、制御部が、第１の伝送路および第２の伝送路が正常に動作しているか否かを監視する。制御部は、第１の伝送路および第２の伝送路に異常がない場合、第１の信号および第２の信号を多重した多重信号に代えて、第２の信号を多重した多重信号を第２の伝送路に出力させる。【選択図】    図１
2014165587.tif 000002
【特許請求の範囲】
【請求項１】
第１の伝送路に対応して設けられ、第１の信号および前記第１の信号と規格が異なる第２の信号を多重した多重信号を前記第１の伝送路に出力する第１の多重部と、
第２の伝送路に対応して設けられ、前記第１の信号および前記第２の信号を多重した多重信号を前記第２の伝送路に出力する第２の多重部と、
前記第１の伝送路および前記第２の伝送路が正常に動作しているか否かを監視する制御部と、を備え、
前記制御部は、前記第１の伝送路および前記第２の伝送路に異常がない場合、前記第１の信号および前記第２の信号を多重した多重信号に代えて、前記第２の信号を多重した多重信号を前記第２の伝送路に出力させる
ことを特徴とする伝送装置。
【請求項２】
請求項１に記載の伝送装置において、
第３の伝送路を介して受信する多重信号から前記第１の信号と同様の規格の第３の信号および前記第２の信号と同様の規格の第４の信号をそれぞれ分離する第１の分離部と、
第４の伝送路を介して受信する多重信号から前記第３の信号および前記第４の信号をそれぞれ分離する第２の分離部と、を備え、
前記制御部は、前記第１の伝送路および前記第２の伝送路の状態を示す情報を、前記第３の信号および前記第４の信号から取得し、前記情報に基づいて、前記第１の伝送路および前記第２の伝送路が正常に動作しているか否かを判定する
ことを特徴とする伝送装置。
【請求項３】
請求項２に記載の伝送装置において、
前記第１の信号または前記第２の信号を受ける複数の入力部を備え、
前記各入力部は、前記第３の伝送路および前記第４の伝送路の状態を示す第１の情報と、前記第２の伝送路に出力される多重信号に前記第２の信号とともに前記第１の信号を含むか否かを示す第２の情報とを、前記第１の信号および前記第２の信号に付加する
ことを特徴とする伝送装置。
【請求項４】
請求項３に記載の伝送装置において、
前記各入力部は、前記第１の情報を前記第１の信号および前記第２の信号の終端に付加し、前記第２の情報を前記第１の信号および前記第２の信号の先端に付加することを特徴とする伝送装置。
【請求項５】
請求項３に記載の伝送装置において、
前記各入力部は、前記第１の情報および前記第２の情報を前記第１の信号および前記第２の信号の終端に付加することを特徴とする伝送装置。
【請求項６】
請求項４に記載の伝送装置において、
前記第１の分離部および前記第２の分離部は、分離した前記第３の信号および前記第４の信号に付加される前記第２の情報と同様の情報に基づいて、分離した前記第３の信号および前記第４の信号を出力する
ことを特徴とする伝送装置。
【請求項７】
請求項５に記載の伝送装置において、
前記第１の分離部および前記第２の分離部は、
分離した前記第３の信号および前記第４の信号を記憶する記憶部をさらに備え、
前記第１の分離部および前記第２の分離部は、記憶した前記第３の信号および前記第４の信号に付加される前記第２の情報と同様の情報に基づいて、記憶した前記第３の信号および前記第４の信号を出力する
ことを特徴とする伝送装置。
【請求項８】
一対の伝送装置と、
前記一対の伝送装置を互いに接続する複数の伝送路と、を備え、
前記伝送装置は、
前記複数の伝送路の１つの第１の伝送路に対応して設けられ、第１の信号および前記第１の信号と規格が異なる第２の信号を多重した多重信号を前記第１の伝送路に出力する第１の多重部と、
前記複数の伝送路の別の１つの第２の伝送路に対応して設けられ、前記第１の信号および前記第２の信号を多重した多重信号を前記第２の伝送路に出力する第２の多重部と、
前記第１の伝送路および前記第２の伝送路が正常に動作しているか否かを監視する制御部と、を備え、
前記制御部は、前記第１の伝送路および前記第２の伝送路に異常がない場合、前記第１の信号および前記第２の信号を多重した多重信号に代えて、前記第２の信号を多重した多重信号を前記第２の伝送路に出力させる
ことを特徴とする伝送システム。
【発明の詳細な説明】
【技術分野】
【０００１】
本発明は、伝送装置および伝送システムに関する。
【背景技術】
【０００２】
従来、互いにデータを伝送する一対の伝送装置は、例えば、現用系の伝送路と予備系の伝送路とで接続され、現用系および予備系の伝送路に同じデータを伝送している。ただし、現用系および予備系の伝送路が正常に動作している場合、予備系の伝送路を伝送するデータは、破棄され無駄である。
【０００３】
例えば、伝送装置は、現用系および予備系の伝送路に複数の帯域を設定し、各帯域を伝送する信号のトラヒックをモニタする。伝送装置は、トラヒックが既定の閾値を越えると見込まれる帯域が有る場合、その帯域より広い帯域を予備系の伝送路に設定して信号を伝送することで、帯域を有効に活用する技術が知られている（例えば、特許文献１参照）。
【先行技術文献】
【特許文献】
【０００４】
【特許文献１】特開２００５−２８６３６９号公報
【発明の概要】
【発明が解決しようとする課題】
【０００５】
しかしながら、従来技術では、トラヒックが既定の閾値以下である限りにおいて、現用系および予備系の伝送路に同じデータを伝送し続けるために、依然として予備系の伝送路のデータが破棄され無駄である。
【０００６】
上記従来技術が有する問題に鑑み、本件開示は、運用系および予備系の伝送路が正常に動作する場合において、予備系の伝送路の帯域を従来に比べてより有効に活用することができる技術を提供することを目的とする。
【課題を解決するための手段】
【０００７】
本件開示の伝送装置の一態様は、第１の伝送路に対応して設けられ、第１の信号および第１の信号と規格が異なる第２の信号を多重した多重信号を第１の伝送路に出力する第１の多重部と、第２の伝送路に対応して設けられ、第１の信号および第２の信号を多重した多重信号を第２の伝送路に出力する第２の多重部と、第１の伝送路および第２の伝送路が正常に動作しているか否かを監視する制御部と、を備え、制御部は、第１の伝送路および第２の伝送路に異常がない場合、第１の信号および第２の信号を多重した多重信号に代えて、第２の信号を多重した多重信号を第２の伝送路に出力させる。
【０００８】
本件開示の伝送システムの一態様は、一対の伝送装置と、一対の伝送装置を互いに接続する複数の伝送路と、を備え、伝送装置は、複数の伝送路の１つの第１の伝送路に対応して設けられ、第１の信号および第１の信号と規格が異なる第２の信号を多重した多重信号を第１の伝送路に出力する第１の多重部と、複数の伝送路の別の１つの第２の伝送路に対応して設けられ、第１の信号および第２の信号を多重した多重信号を第２の伝送路に出力する第２の多重部と、第１の伝送路および第２の伝送路が正常に動作しているか否かを監視する制御部と、を備え、制御部は、第１の伝送路および第２の伝送路に異常がない場合、第１の信号および第２の信号を多重した多重信号に代えて、第２の信号を多重した多重信号を第２の伝送路に出力させる。
【発明の効果】
【０００９】
本件開示の伝送装置および伝送システムは、運用系および予備系の伝送路が正常に動作する場合において、予備系の伝送路の帯域を従来に比べてより有効に活用することができる。
【図面の簡単な説明】
【００１０】
【図１】伝送システムの一の実施形態を示す図である。
【図２】図１に示したＩＦ（Interface）盤の一の実施形態を示す図である。
【図３】先頭Time Slotおよび終端Time Slotの一の実施形態を示す図である。
【図４】通常動作時の図１に示した送信側の伝送装置における信号の流れ図である。
【図５】通常動作時の図１に示した受信側の伝送装置における信号の流れ図である。
【図６】拡張動作時の図１に示した送信側の伝送装置における信号の流れ図である。
【図７】拡張動作時の図１に示した受信側の伝送装置における信号の流れ図である。
【図８】伝送システムの他の実施形態を示す図である。
【図９】先頭Time Slotおよび終端Time Slotの別の実施形態を示す図である。
【図１０】通常動作時の図８に示した送信側の伝送装置における信号の流れ図である。
【図１１】通常動作時の図８に示した受信側の伝送装置における信号の流れ図である。
【図１２】拡張動作時の図８に示した送信側の伝送装置における信号の流れ図である。
【図１３】拡張動作時の図８に示した受信側の伝送装置における信号の流れ図である。
【図１４】図１に示したＩＦ盤のさらに別の実施形態を示す図である。
【図１５】さらに別の実施形態での通常動作時の受信側の伝送装置における信号の流れ図である。
【図１６】さらに別の実施形態での拡張動作時の受信側の伝送装置における信号の流れ図である。
【発明を実施するための形態】
【００１１】
以下、図面に基づいて、実施形態について詳細に説明する。
《一の実施形態》
図１は、伝送システムの一の実施形態を示す。
【００１２】
本実施形態の伝送システム１００は、対向して配置される伝送装置１０，２０、光ファイバ等の伝送路３０（３０ａ，３０ｂ，３０ｃ，３０ｄ）、端末装置４０（４０−１〜４０−Ｎ）および端末装置５０（５０−１〜５０−Ｎ）を有する（Ｎは正の整数）。なお、実線で示した伝送路３０ａ，３０ｃは、現用系を示し、点線で示した伝送路３０ｂ，３０ｄは、予備系を示す。また、本実施形態では、データを伝送する４つの伝送路３０ａ〜伝送路３０ｄが、伝送装置１０，２０の間に配置されるが、これに限定されず、５つ以上の伝送路３０が伝送装置１０，２０の間に配置されてもよい。さらに、伝送装置１０，２０は、伝送路３０上に配置される中継装置等を介して互いに接続されてもよい。
【００１３】
伝送装置１０は、図１に示すように、制御部１１、インタフェース（ＩＦ：Interface）盤１２（１２−１〜１２−Ｎ）、多重部１３ａ，１３ｂ、分離部１４ａ，１４ｂおよびメモリ１５を有する。また、伝送装置２０は、伝送装置１０と同様に、制御部２１、ＩＦ盤２２（２２−１〜２２−Ｎ）、多重部２３ａ，２３ｂ、分離部２４ａ，２４ｂおよびメモリ２５を有する。なお、以下において、伝送装置１０が有する上記各要素の機能について説明するが、伝送装置２０が有する上記各要素についても伝送装置１０の各要素と同様に機能するため、説明を省略する。
【００１４】
例えば、制御部１１は、ＲＯＭ（Read Only Memory）等のメモリ１５に記憶されている制御プログラムを実行することにより、伝送装置１０の各部を統括的に制御するプロセッサである。例えば、制御部１１は、伝送路３０ａ〜３０ｄの状態を、各伝送路３０ａ〜３０ｄを伝送する信号に基づいて監視する。制御部１１は、例えば、現用系の伝送路３０ａ（または３０ｃ）に異常が発生したこと検出すると、現用系の伝送路３０ａ（または３０ｃ）を予備系に切り替え、予備系との伝送路３０ｂ（または３０ｄ）を現用系に切り替える。
【００１５】
ＩＦ盤１２−１〜１２−Ｎは、それぞれに接続される電話機やコンピュータ等の端末装置４０−１〜４０−Ｎとの間でデータを送受信する。ＩＦ盤１２−１〜１２−Ｎのうち、ＩＦ盤１２−１〜１２−Ｍは、例えば、音声やＩＳＤＮ（Integrated Services Digital Network）、１．５４４Ｍｂｉｔ／ｓの一次群インタフェース規格等のインタフェース信号でデータを送受信する。ただし、Ｍは正の整数で１≦Ｍ≦Ｎ−１とする。なお、ＩＦ盤１２−１〜１２−Ｍは、電話機等が接続される場合、アナログ信号からデジタル信号またはデジタル信号からアナログ信号に変換するＰＣＭ（Pulse Code Modulation）等の変換器を有するのが好ましい。
【００１６】
一方、ＩＦ盤１２−（Ｍ＋１）〜１２−Ｎは、イーサネット（登録商標）規格等のフレーム信号でデータを送受信する。なお、ＩＦ盤１２−１〜１２−Ｎは、入力部の一例を示す。また、インタフェース信号は第１の信号の一例を示し、フレーム信号は第２の信号の一例を示す。
【００１７】
そして、各ＩＦ盤１２がインタフェース信号またはフレーム信号のどちらを送受信するかの情報は、メモリ１５に予め記憶されているものとする。
【００１８】
多重部１３ａ，１３ｂは、制御部１１の制御に基づいて、予めＩＦ盤１２ごとに一定の時間間隔で区切られて割り当てられたタイムスロット１〜タイムスロットＮにおいて、ＩＦ盤１２−１〜１２−Ｎのそれぞれに送信要求を示す制御信号を出力する。多重部１３ａ，１３ｂは、タイムスロット１〜タイムスロットＮごとに、対応するＩＦ盤１２−１〜１２−Ｎから出力されたインタフェース信号またはフレーム信号を受信する。多重部１３ａ，１３ｂは、例えば、内蔵するＭＵＸ（multiplexer）を用いて、タイムスロット１〜タイムスロットＮごとに受信したインタフェース信号やフレーム信号を順次に時分割多重する。多重部１３ａ，１３ｂは、時分割多重した時分割多重（ＴＤＭ：Time Division Multiplex）信号を伝送路３０ａ，３０ｂを介して伝送装置２０へ伝送する。なお、多重部１３ａ，１３ｂが出力するＴＤＭ信号は、例えば、６．３１２Ｍｂｉｔ／ｓ等の二次群インタフェース規格や、ＳＯＮＥＴ（Synchronous Optical Network）／ＳＤＨ（Synchronous Digital Hierarchy）規格等の信号である。
【００１９】
分離部１４ａ、１４ｂは、伝送路３０ｃ、３０ｄを介して、伝送装置２０からのＴＤＭ信号を受信する。分離部１４ａ，１４ｂは、例えば、内蔵するＤＥＭＵＸ（demultiplexer）を用いて、予め設定されたタイムスロット１〜タイムスロットＮに応じて、受信したＴＤＭ信号からインタフェース信号およびフレーム信号を分離する。分離部１４ａ，１４ｂは、分離したインタフェース信号およびフレーム信号をＩＦ盤１２−１〜１２−Ｎそれぞれに出力する。なお、分離部１４ａ，１４ｂは、ＩＦ盤１２−１〜１２−Ｍにインタフェース信号を出力し、ＩＦ盤１２−（Ｍ＋１）〜１２−Ｎはフレーム信号を出力する。
【００２０】
図２は、図１に示したＩＦ盤１２−ｋの一の実施形態を示す図である（ｋは正の整数で１≦ｋ≦Ｎ）。すなわち、図１に示したＩＦ盤１２−１〜１２−Ｎは、互いに同様の構成を有する。なお、図1に示すＩＦ盤２２−１〜２２−Ｎについても図２に示すＩＦ盤１２−ｋと同様の構成を有するため、詳細な説明は省略する。
【００２１】
図２に示すように、ＩＦ盤１２−ｋは、受信部６０、フレームバッファ６１、送信部６２，６３、受信部６４，６５、選択部６６、フレームバッファ６７および送信部６８を有する。
【００２２】
受信部６０は、端末装置４０−ｋからのインタフェース信号またはフレーム信号を受信する。なお、受信部６０は、端末装置４０−ｋから受信する信号が光信号の場合、例えば、光−電気コンバータを有し、受信した光信号から電気信号に変換することが好ましい。
【００２３】
フレームバッファ６１は、受信部６１で受信したインタフェース信号またはフレーム信号を一時的に記憶する。フレームバッファ６１は、ＳＤＲＡＭ (Synchronous Dynamic Random Access Memory) 等の１つの記憶装置を有し、受信した信号を出力先の多重部１３ａ，１３ｂごとに異なる領域に記憶する。あるいは、フレームバッファ６１は、ＳＤＲＡＭ等の２つの記憶装置を有し、受信した信号を多重部１３ａ，１３ｂごとにそれぞれの記憶装置に記憶してもよい。
【００２４】
送信部６２，６３は、フレームバッファ６１を介して端末装置４０−ｋから受信したインタフェース信号またはフレーム信号を、多重部１３ａ，１３ｂからの送信要求に基づいて、多重部１３ａ，１３ｂにそれぞれ出力する。各送信部６２，６３は、インタフェース信号またはフレーム信号の出力にあたり、所定のビット数を有する先頭ＴＳ（Time Slot）をインタフェース信号やフレーム信号の先頭に付加する。同時に、各送信部６２，６３は、終端ＴＳ（Time Slot）をインタフェース信号やフレーム信号の終端に付加する。各送信部６２，６３は、先頭ＴＳを含めたインタフェース信号やフレーム信号の垂直パリティやＣＲＣ（Cyclic Redundancy Check）等のパリティ演算を行い、パリティ演算の結果を終端ＴＳに格納する。なお、先頭ＴＳおよび終端ＴＳについては、図３で詳細に説明する。また、送信部６２，６３は、電気−光コンバータ等を有し、インタフェース信号およびフレーム信号を光信号に変換して出力することが好ましい。
【００２５】
受信部６４，６５は、先頭ＴＳおよび終端ＴＳが付加されたインタフェース信号またはフレーム信号を分離部１４ａ，１４ｂから受信し、受信した信号を選択部６６に出力する。なお、受信部６４，６５は、受信部６０と同様に、光信号を電気信号に変換する光−電気コンバータ等を有することが好ましい。
【００２６】
選択部６６は、図１に示した制御部１１からの指示に基づいて、受信部６４，６５で受信した信号に対して、垂直パリティやＣＲＣ等のパリティ演算を行う。選択部６６は、そのパリティ演算の結果に基づいて、それぞれの信号が正常か否かを判定する。選択部６６は、受信部６４，６５で受信した信号が共に正常と判定した場合、現用系の伝送路３０ｃ（図１）を伝送してきた信号を選択し、選択した信号をフレームバッファ６７へ出力する。一方、選択部６６は、現用系の伝送路３０ｃからの信号においてパリティエラーが所定の時間以上連続して発生した場合、現用系の伝送路３０ｃに異常が発生したと判定し、制御部１１に異常の発生を通知する。選択部６６は、予備系の伝送路３０ｄ（図１）からの信号を選択し、選択した信号をフレームバッファ６７に出力する。なお、選択部６６は、インタフェース信号やフレーム信号をフレームバッファ６７に出力するにあたり、先頭ＴＳおよび終端ＴＳをインタフェース信号やフレーム信号から外して出力することが好ましい。
【００２７】
また、図１に示した制御部１１は、伝送路３０ｃに異常が発生したことを、伝送路３０ａ、３０ｂ（図１）を伝送するインタフェース信号およびフレーム信号に付加される終端ＴＳを用いて、図１に示した伝送装置２０に通知する。この通知については、図３で説明する。
【００２８】
フレームバッファ６７は、選択部６６で選択されたインタフェース信号またはフレーム信号を一時的に記憶する。なお、フレームバッファ６７は、フレームバッファ６１と同様に、例えば、ＳＤＲＡＭ等の記憶装置を有する。
【００２９】
送信部６８は、フレームバッファ６７に記憶されているインタフェース信号またはフレーム信号を端末装置４０−ｋへ送信する。なお、送信部６８は、光信号で端末装置４０−ｋへ送信する場合、送信部６２，６３と同様に、例えば、電気−光コンバータ等を有し、電気信号を光信号に変換して送信することが好ましい。
【００３０】
図３は、本件開示の先頭ＴＳおよび終端ＴＳの一の実施形態を示す。図３に示すように、先頭ＴＳおよび終端ＴＳは、例えば、ビットｂ０，ｂ１，ｂ２，ｂ３，ｂ４，ｂ５，ｂ６およびｂ７を含む８ビットのデータ長を有する。先頭ＴＳのビットｂ０には、予備系の伝送路３０の帯域を拡張してフレーム信号を伝送しているか否かを示す情報Ｅが格納される。例えば、送信部６２，６３は、図４および図５で説明するように、多重部１３ａ，１３ｂに同じインタフェース信号やフレーム信号を出力する通常動作の場合、情報Ｅに「０」を格納する。一方、送信部６２，６３は、例えば、多重部１３ｂに接続された予備系の伝送路３０ｂの帯域を拡張して、フレーム信号を予備系の伝送路３ｂに伝送させる拡張動作の場合、情報Ｅに「１」を格納する。
【００３１】
一方、終端ＴＳのビットｂ４には、送信部６２，６３がインタフェース信号やフレーム信号を出力する多重部１３ａ，１３ｂに接続された伝送路３０が運用系か予備系かを示す情報ＢＳが格納される。送信部６２，６３は、出力先の伝送路３０が運用系の場合、情報ＢＳに「１」を格納し、出力先の伝送路３０が予備系の場合、情報ＢＳに「０」を格納する。
【００３２】
また、終端ＴＳのビットｂ５，ｂ６には、伝送装置１０から伝送装置２０へ信号を伝送する場合、伝送路３０ｃ，３０ｄが正常か否かの判定結果を示す情報ＢＳ０，ＢＳ１が格納される。一方、終端ＴＳのビットｂ５，ｂ６の情報ＢＳ０，ＢＳ１には、伝送装置２０から伝送装置１０へ信号を伝送する場合、伝送路３０ａ，３０ｂが正常か否かの判定結果が格納される。情報ＢＳ０，ＢＳ１に格納される判定結果は、伝送装置２０から受信したインタフェース信号またはフレーム信号に対する選択部６６によるパリティ演算の結果である。送信部６２，６３は、伝送路３０ｃ，３０ｄが正常の場合、情報ＢＳ０，ＢＳ１にそれぞれ「０」を格納し、伝送路３０ｃ，３０ｄが異常の場合、情報ＢＳ０，ＢＳ１にそれぞれ「１」を格納する。インタフェース信号およびフレーム信号が情報ＢＳ０，ＢＳ１を格納する終端ＴＳを有することにより、伝送装置２０に伝送路３０ｃおよび伝送路３０ｄの状態を通知することができる。また、伝送装置２０から伝送されるインタフェース信号やフレーム信号の終端ＴＳのビットｂ５，ｂ６に格納された伝送路３０ａ，３０ｂの情報ＢＳ０，ＢＳ１は、ＩＦ盤１２を介して、制御部１１に通知される。制御部１１は、通知された情報ＢＳ０，ＢＳ１に基づいて、例えば、運用系の伝送路３０ａに異常の発生が検出された場合、伝送路３０ａを予備系に切り替え、伝送路３０ｂを運用系に切り替える。
【００３３】
さらに、終端ＴＳのビットｂ７には、伝送装置２０へ送信する先頭ＴＳを含むインタフェース信号やフレーム信号に対して、送信部６２，６３が求めたパリティ演算の結果が情報Ｐとして格納される。
【００３４】
なお、情報ＢＳ０，ＢＳ１は、第１の情報の一例を示し、情報Ｅは、第２の情報の一例を示す。
【００３５】
次に、本実施形態の伝送システム１００による伝送動作ついて説明する。ただし、以下における説明は、（Ａ）通常動作の場合と（Ｂ）拡張動作の場合とに分けて行う。ここで、通常動作とは、例えば、拡張動作に移行するまでの伝送システム１００による動作で、現用系および予備系の伝送路にそれぞれ同じインタフェース信号およびフレーム信号が時分割多重されたＴＤＭ信号が伝送される。
（Ａ）通常動作の場合
通常の伝送システム１００による伝送動作について、図２，図４，図５を参照し伝送装置１０から伝送装置２０へデータが伝送される場合について説明する。なお、伝送装置２０から伝送装置１０へデータが伝送される場合についても、以下に示す動作と同様であるため、詳細な説明は省略する。
【００３６】
図４は、送信側の伝送装置１０における通常動作の場合の信号の流れを示す。図４は、図１に示す伝送システム１００のうち、伝送装置１０から伝送装置２０へのデータ伝送にかかわる要素を示す。また、図４では、伝送路３０ａ，３０ｂを伝送する先頭ＴＳおよび終端ＴＳが付加されたインタフェース信号またはフレーム信号を、データ信号７０（７０−１〜７０−Ｎ）として示す。また、図４では、インタフェース信号とフレーム信号とを区別するために、インタフェース信号を白い矩形で示し、フレーム信号を網掛けの矩形で示す。
【００３７】
図２に示すＩＦ盤１２−１〜ＩＦ盤１２−Ｎの受信部６０は、端末装置４０−１〜４０−Ｎからインタフェース信号またはフレーム信号をそれぞれ受信し、受信した信号をフレームバッファ６１に記憶する。ＩＦ盤１２−１〜ＩＦ盤１２−Ｎの送信部６２，６３は、多重部１３ａ，１３ｂからのタイムスロット１〜タイムスロットＮに応じた送信要求に基づき、先頭ＴＳおよび終端ＴＳを付加したインタフェース信号やフレーム信号を多重部１３ａ，１３ｂに出力する。なお、送信部６２，６３は、先頭ＴＳの情報Ｅに「０」を格納する。また、制御部１１の制御に基づいて、送信部６２は、伝送路３０ａが現用系であることから終端ＴＳの情報ＢＳに「１」を格納し、送信部６３は、伝送路３０ｂが予備系であることから終端ＴＳの情報ＢＳに「０」を格納する。さらに、送信部６２，６３は、終端ＴＳの情報ＢＳ０，ＢＳ１に選択部６６の判定結果を格納し、終端ＴＳの情報Ｐにパリティ演算の結果を格納する。
【００３８】
多重部１３ａ、１３ｂは、設定されたタイムスロット１〜タイムスロットＮにおいて、ＩＦ盤１２−１〜ＩＦ盤１２−Ｎの送信部６２，６３から受信したデータ信号７０−１〜データ信号７０−Ｎを順次に時分割多重してＴＤＭ信号を生成する。多重部１３ａ，１３ｂは、生成したＴＤＭ信号を伝送路３０ａ，３０ｂに出力する。
【００３９】
図５は、受信側の伝送装置２０における通常動作の場合の信号の流れを示す。図５は、図１に示す伝送システム１００のうち、伝送装置１０から伝送装置２０へのデータ伝送にかかわる要素を示す。図４と同様に、図５では、インタフェース信号またはフレーム信号を、データ信号７０（７０−１〜７０−Ｎ）として示し、インタフェース信号を白い矩形で示し、フレーム信号を網掛けの矩形で示す。
【００４０】
分離部２４ａ，２４ｂは、予め設定されたタイムスロット１〜タイムスロットＮに応じて、受信したＴＤＭ信号からデータ信号７０−１〜７０−Ｎを分離する。分離部２４ａ，２４ｂは、分離したデータ信号７０−１〜７０−Ｎの先頭ＴＳの情報Ｅを参照し、情報Ｅが「０」であることに基づいて通常動作と判定する。分離部２４ａ，２４ｂは、タイムスロット１〜タイムスロットＮに応じて、データ信号７０−１〜７０−ＮをＩＦ盤２２−１〜２２−Ｎにそれぞれ出力する。なお、ＩＦ盤２２−１〜２２−Ｎは、図２に示したＩＦ盤１２−ｋと同様の構成を有する。このため、ＩＦ盤２２−１〜２２−Ｎの内部要素の説明は、図２に示したＩＦ盤１２−ｋの内部要素の符号を用いる。
【００４１】
ＩＦ盤２２−１〜２２−Ｎの受信部６４，６５は、分離部２４ａ，２４ｂからそれぞれデータ信号７０−１〜７０−Ｎを受信し、受信したデータ信号７０−１〜７０−Ｎを選択部６６に出力する。選択部６６は、受信部６４，６５で受信したそれぞれのデータ信号７０の先頭ＴＳに格納された情報Ｅを参照し、情報Ｅが「０」であることに基づいて通常動作であることを確認する。選択部６６は、受信部６４，６５で受信したそれぞれのデータ信号７０に対しパリティ演算を行い、終端ＴＳの情報Ｐと比較し、データ信号７０にパリティエラーが発生したか否かを判定する。選択部６６は、所定の時間以上連続してパリティエラーが検出されない場合、現用系の伝送路３０ａからのデータ信号７０を選択しフレームバッファ６７へ出力する。一方、選択部６６は、現用系の伝送路３０ａのデータ信号７０に、所定の時間以上連続してパリティエラーが発生していると判定すると、現用系の伝送路３０ａに異常が発生していることを制御部２１に通知する。選択部６６は、予備系の伝送路３０ｂのデータ信号７０を選択しフレームバッファ６７へ出力する。ＩＦ盤２２−１〜２２−Ｎの送信部６８は、インタフェース信号またはフレーム信号を端末装置５０−１〜５０−Ｎにそれぞれ送信する。
（Ｂ）拡張動作の場合
拡張動作の場合の伝送システム１００による伝送動作について、図２、図６および図７を参照し伝送装置１０から伝送装置２０へデータが伝送される場合について説明する。なお、伝送装置２０から伝送装置１０へデータが伝送される場合についても、以下に示す動作と同様であるため、詳細な説明は省略する。
【００４２】
図６は、拡張動作の場合の送信側の伝送装置１０における信号の流れを示す。図６は、は、図４と同様に、図１に示す伝送システム１００のうち、伝送装置１０から伝送装置２０へのデータ伝送にかかわる要素を示す。図４と同様に、図６は、現用系の伝送路３０ａを伝送するインタフェース信号またはフレーム信号を、データ信号７０（７０−１〜７０−Ｎ）として示す。一方、図６は、予備系の伝送路３０ｂを伝送するフレーム信号を、データ信号８０（８０−１〜８０−Ｎ）として示す。また、図６では、インタフェース信号とフレーム信号とを区別するために、インタフェース信号を白い矩形で示し、フレーム信号を網掛けの矩形で示す。
【００４３】
ここで、伝送装置１０は、少なくとも伝送装置２０から受信するインタフェース信号およびフレーム信号に付加された終端ＴＳの情報ＢＳ０，ＢＳ１を取得し、伝送路３０ａ，３０ｂが正常であると判定するまで、図４および図５に示した通常動作を行う。伝送装置１０は、伝送路３０ａ，３０ｂが正常と判定すると、拡張動作に移行する。理由は次の通りである。
【００４４】
つまり、インタフェース信号の通信速度は一定であるのに対して、フレーム信号の通信速度は、伝送するデータ量に応じて大きく変化する。その結果、通信速度が速い場合、通信速度が遅い時に比べて、フレーム信号は、ＩＦ盤１２のフレームバッファ６１に大量に記憶され待機させられる。そこで、多重部１３ｂは、制御部１１が伝送路３０ａおよび伝送路３０ｂが正常であると判定すると、予備系の伝送路３０ｂのインタフェース信号用のタイムスロット１〜タイムスロットＭをフレーム信号の帯域として拡張して用いる。多重部１３ｂが、予備系の伝送路３０ｂのインタフェース信号用のタイムスロット１〜タイムスロットＭに、フレーム信号を格納することにより、通常動作の場合に比べてより多くのフレーム信号を伝送することができる。
【００４５】
例えば、制御部１１は、情報ＢＳ０，ＢＳ１が共に「０」で伝送路３０ａおよび伝送路３０ｂが正常であると判定すると、情報ＢＳが「０」である予備系の伝送路３０ｂにデータ信号を出力する各ＩＦ盤１２の送信部６３に対し、情報Ｅを「１」に設定させる。同時に、制御部１１は、多重部１３ｂに、設定されているタイムスロット１〜タイムスロットＮのうち、インタフェース信号用のタイムスロット１〜タイムスロットＭをフレーム信号用に割り当てさせる。図６に示すように、多重部１３ｂは、フレーム信号を送受信するＩＦ盤１２−（Ｍ＋１）〜１２−Ｎのうち、Ｍ個のＩＦ盤１２の送信部６３に対しタイムスロット１〜タイムスロットＭにおいて、さらにフレーム信号を出力させる。多重部１３ｂは、タイムスロット（Ｍ＋１）〜タイムスロットＮにおいて、ＩＦ盤１２−（Ｍ＋１）〜１２−Ｎの送信部６３に出力させたフレーム信号と合わせて、データ信号８０−１〜８０−Ｎとして順次に時分割多重し、ＴＤＭ信号を伝送路３０ｂに出力する。
【００４６】
なお、タイムスロット１〜タイムスロットＭにおいて、送信部６３から出力されるＭ個のフレーム信号は、例えば、初めにＩＦ盤１２−（Ｍ＋１）から順にＭ番目までのＩＦ盤１２から出力され、次に（Ｍ＋１）番目のＩＦ盤１２から順に出力されるものとする。この場合、ＩＦ盤１２−Ｎの次はＩＦ盤１２−（Ｍ＋１）に戻ることが好ましい。あるいは、Ｍ個のフレーム信号は、フレームバッファ６１に記憶されているフレーム信号の量が多いＩＦ盤１２から優先して出力されてもよい。
【００４７】
一方、多重部１３ａは、図６に示すように、通常動作の場合と同様に、データ信号７０−１〜７０−Ｎを順次に時分割多重し、ＴＤＭ信号を伝送路３０ａに出力する。
【００４８】
図７は、拡張動作の場合の受信側の伝送装置２０における信号の流れを示す。図７は、図１に示す伝送システム１００のうち、伝送装置１０から伝送装置２０へのデータ伝送にかかわる要素を示す。図５と同様に、図７は、現用系の伝送路３０ａを伝送するインタフェース信号またはフレーム信号を、データ信号７０（７０−１〜７０−Ｎ）として示す。一方、図７は、予備系の伝送路３０ｂを伝送するフレーム信号を、データ信号８０（８０−１〜８０−Ｎ）として示す。また、図７では、インタフェース信号とフレーム信号とを区別するために、インタフェース信号を白い矩形で示し、フレーム信号を網掛けの矩形で示す。
【００４９】
分離部２４ｂは、設定されたタイムスロット１〜タイムスロットＮに応じて、予備系の伝送路３０ｂを介して受信したＴＤＭ信号からデータ信号８０−１〜８０−Ｎを分離する。分離部２４ｂは、分離した各データ信号８０の先頭ＴＳの情報Ｅを参照する。分離部２４ｂは、情報Ｅが「１」であることに基づいて拡張動作と判定し、タイムスロット１〜タイムスロットＮにおいて、ＩＦ盤２２−（Ｍ＋１）〜２２−Ｎに、データ信号８０−１〜８０−Ｎの全てをそれぞれ出力する。なお、分離部２４ｂは、タイムスロット１〜タイムスロットＭにおいて分離したデータ信号８０−１〜８０−ＭをＩＦ盤２２−１〜ＩＦ盤２２−Ｍにもそれぞれ出力する。
【００５０】
一方、分離部２４ａは、図５に示した通常動作の場合と同様に、タイムスロット１〜タイムスロットＮに応じて、伝送路３０ａを介して受信したＴＤＭ信号からデータ信号７０−１〜７０−Ｎを分離する。分離部２４ａは、分離した各データ信号７０の先頭ＴＳの情報Ｅが「０」であることに基づいて通常動作と判定し、タイムスロット１〜タイムスロットＮに応じて、データ信号７０−１〜７０−ＮをＩＦ盤２２−１〜２２−Ｎにそれぞれ出力する。
【００５１】
次に、インタフェース信号を送受信するＩＦ盤２２−１〜２２−Ｍの選択部６６は、データ信号７０，８０のパリティ演算を行い、終端ＴＳの情報Ｐと比較し、データ信号７０，８０にパリティエラーが発生したか否かを判定する。選択部６６は、所定の時間以上連続してパリティエラーが検出されない場合、データ信号７０，８０の先頭ＴＳの情報Ｅを参照し、情報Ｅが「０」であるデータ信号を選択しフレームバッファ６７に出力する。
【００５２】
また、ＩＦ盤２２−１〜２２−Ｍの選択部６６は、所定の時間以上連続してパリティエラーが検出されると、パリティエラーが発生していない伝送路３０からのデータ信号を選択し、選択したデータ信号をフレームバッファ６７に出力する。ただし、選択部６６は、選択したデータ信号の情報Ｅが「１」の場合、選択したデータ信号を破棄する。そして、選択部６６は、伝送路３０ａまたは伝送路３０ｂに異常が発生したことを制御部２１に通知する。制御部２１は、伝送路３０ｃ，３０ｄを伝送するインタフェース信号およびフレーム信号に付加される終端ＴＳの情報ＢＳ０，ＢＳ１を用いて、現用系の伝送路３０ａまたは予備系の伝送路３０ｂに異常が発生したことを伝送装置１０の制御部１１に通知する。制御部１１は、拡張動作から通常動作に切り替える。
【００５３】
一方、フレーム信号を送受信するＩＦ盤２２−（Ｍ＋１）〜２２−Ｎの選択部６６は、分離部２４ａ，２４ｂからそれぞれ受信したデータ信号７０，８０に対してパリティ演算を行う。選択部６６は、各データ信号７０，８０に対するパリティ演算の結果と終端ＴＳの情報Ｐとを比較し、所定の時間以上連続してパリティエラーが検出されたか否かを判定する。選択部６６は、パリティエラーが検出されない場合、受信したデータ信号７０，８０の先頭ＴＳの情報Ｅを参照する。選択部６６は、情報Ｅが「１」であることを検出し拡張動作であると判定すると、情報Ｅが「１」であるデータ信号を選択する。選択部６６は、選択したデータ信号をフレームバッファ６７に出力する。ＩＦ盤２２−（Ｍ＋１）〜２２−Ｎの送信部６８は、記憶されたデータ信号をフレーム信号として端末装置５０−（Ｍ＋１）〜５０−Ｎにそれぞれ送信する。端末装置５０−（Ｍ＋１）〜５０−Ｎは、受信したフレーム信号に格納されている宛先アドレスを参照して、自装置宛のフレーム信号を受信する。
【００５４】
また、ＩＦ盤２２−（Ｍ＋１）〜２２−Ｎの選択部６６は、データ信号７０またはデータ信号８０で所定の時間以上連続してパリティエラーが検出されると、パリティエラーが検出されないデータ信号を選択し、選択したデータ信号をフレームバッファ６７に出力する。
【００５５】
本実施形態では、現用系および予備系の伝送路３０が正常に動作している場合、予備系の伝送路３０のインタフェース信号用のタイムスロットをフレーム信号用として用いることで、従来に比べて予備系の伝送路３０の帯域を有効に活用することができる。
【００５６】
また、送信部６２または送信部６３は、伝送路３０ａまたは伝送路３０ｂが予備系で帯域が拡張される場合、データ信号に付加される情報Ｅを「０」から「１」に設定し、分離部２４ａまたは分離部２４ｂは、情報Ｅに基づいて各ＩＦ盤２２にデータ信号を出力する。その結果、ＩＦ盤２２は適切にデータ信号を受信することができる。
【００５７】
さらに、情報Ｅが先頭ＴＳに格納されることにより、分離部２４ａ，２４ｂは、分離したデータ信号を情報Ｅに基づいて、リアルタイムに各ＩＦ盤２２に出力することができる。
【００５８】
なお、インタフェース信号およびフレーム信号を送受信するＩＦ盤をＩＦ盤１２−１〜１２−Ｍ，２２−１〜２２−ＭおよびＩＦ盤１２−（Ｍ＋１）〜１２−Ｎ，２２−（Ｍ＋１）〜２２−Ｎとしたが、これに限定されない。例えば、インタフェース信号およびフレーム信号を送受信するＩＦ盤１２，２２は、無作為に配置されてもよい。
【００５９】
なお、送信部６２，６３は、インタフェース信号またはフレーム信号を、終端ＴＳとともにビットｂ０に情報Ｅを格納する先頭ＴＳを付加して送信したが、これに限定されない。例えば、送信部６２，６３は、終端ＴＳとともにビットｂ０に情報Ｅが無い先頭ＴＳをインタフェース信号に付加して送信してもよい。
【００６０】
なお、多重された多重信号としてＴＤＭ信号としたが、これに限定されず、波長分割多重信号等の他の規格の多重信号であってもよい。
《別の実施形態》
図８は、伝送システムの別の実施形態を示す。図８に示す伝送システム２００の各要素において、図１に示す伝送システム１００の要素と同様の機能を有するものについては、同じ符号を付し詳細な説明は省略する。図８の伝送システム２００では、伝送装置１０の分離部１４ｃ，１４ｄが図１に示した分離部１４ａ，１４ｂと相違し、伝送装置２０の分離部２４ｃ，２４ｄが図１に示した分離部２４ａ，２４ｂと相違する。分離部１４ｃ，１４ｄは、ＳＤＲＡＭ等の記憶装置であるフレームバッファ１６ａ，１６ｂをそれぞれ有し、分離部２４ｃ，２４ｄは、ＳＤＲＡＭ等の記憶装置であるフレームバッファ２６ａ，２６ｂをそれぞれ有する。フレームバッファ１６ａ，１６ｂおよびフレームバッファ２６ａ，２６ｂは、記憶部の一例である。
【００６１】
また、ＩＦ盤１２（１２−１〜１２−Ｎ），２２（２２−１〜２２−Ｎ）は、図２に示したＩＦ盤１２−ｋと同様である。このため、図２に示した符号を用いて説明する。ただし、各ＩＦ盤１２，２２の送信部６２，６３は、図３に示した先頭ＴＳおよび終端ＴＳをインタフェース信号およびフレーム信号に付加する代わりに、図９に示す終端ＴＳをインタフェース信号およびフレーム信号に付加する。図９は、本件開示の終端ＴＳの別の実施形態を示す。例えば、図９に示した終端ＴＳは、ビットｂ４，ｂ５，ｂ６およびｂ７に情報ＢＳ，ＢＳ０，ＢＳ１およびＰが格納されるとともに、ビットｂ０に情報Ｅが格納される。
【００６２】
図１０は、送信側の伝送装置１０における通常動作の場合の信号の流れを示し、図１１は、受信側の伝送装置２０における通常動作の場合の信号の流れを示す。図１０および図１１は、図８に示した伝送システム２００のうち、伝送装置１０から伝送装置２０へのデータ伝送にかかわる要素を示す。図４と同様に、図１０および図１１では、終端ＴＳが付加されたインタフェース信号またはフレーム信号を、データ信号７０（７０−１〜７０−Ｎ）として示す。また、図１０および図１１では、インタフェース信号とフレーム信号とを区別するために、インタフェース信号を白い矩形で示し、フレーム信号を網掛けの矩形で示す。
【００６３】
一方、図１２は、送信側の伝送装置１０における拡張動作の場合の信号の流れを示し、図１３は、受信側の伝送装置２０における拡張動作の場合の信号の流れを示す。図１２および図１３は、図１０および図１１と同様に、図８に示した伝送システム２００のうち、伝送装置１０から伝送装置２０へのデータ伝送にかかわる要素を示す。図１２および図１３では、終端ＴＳが付加され現用系の伝送路３０ａに伝送されるインタフェース信号またはフレーム信号を、データ信号７０（７０−１〜７０−Ｎ）として示す。図１２および図１３では、終端ＴＳが付加され予備系の伝送路３０ｂに伝送されるフレーム信号を、データ信号８０（８０−１〜８０−Ｎ）として示す。また、図１２および図１３では、図１０および図１１と同様に、インタフェース信号を白い矩形で示し、フレーム信号を網掛けの矩形で示す。
【００６４】
ところで、本実施形態では、情報Ｅが終端ＴＳに格納されるために、分離部２４ｃ，２４ｄは、リアルタイムに情報Ｅを確認することが困難である。そこで、分離部２４ｃ，２４ｄは、伝送路３０ａ，３０ｂを介して受信したＴＤＭ信号からデータ信号７０，８０を分離した後、データ信号７０，８０をフレームバッファ２６ａ，２６ｂに一時的に記憶する。そして、分離部２４ｃ，２４ｄは、記憶したデータ信号７０，８０の終端ＴＳの情報Ｅに基づいて、通常動作か拡張動作かを判定する。
【００６５】
例えば、分離部２４ｃ，２４ｄは、情報Ｅが「０」であることに基づいて通常動作と判定した場合、図５と同様に、タイムスロット１〜タイムスロットＮに応じて分離したデータ信号をＩＦ盤２２−１〜２２−Ｎにそれぞれ出力する。
【００６６】
一方、分離部２４ｃ，２４ｄは、情報Ｅが「１」であることに基づいて拡張動作と判定した場合、図７に示した分離部２４ｂと同様に、フレーム信号を送受信するＩＦ盤２２−（Ｍ＋１）〜２２−Ｎに、受信したデータ信号の全てをそれぞれ出力する。また、分離部２４ｃ，２４ｄは、タイムスロット１〜タイムスロットＭにおいて分離したデータ信号をＩＦ盤２２−１〜ＩＦ盤２２−Ｍにそれぞれ出力する。
【００６７】
本実施形態では、現用系および予備系の伝送路３０が正常に動作している場合、予備系の伝送路３０のインタフェース信号用のタイムスロットをフレーム信号用として用いることで、従来に比べて予備系の伝送路３０の帯域を有効に活用することができる。
【００６８】
また、送信部６２または送信部６３は、伝送路３０ａまたは伝送路３０ｂが予備系で帯域が拡張される場合、データ信号に付加される情報Ｅを「０」から「１」に設定し、分離部２４ｃまたは分離部２４ｄは、情報Ｅに基づいて各ＩＦ盤２２にデータ信号を出力する。その結果、ＩＦ盤２２は適切にデータ信号を受信することができる。
【００６９】
さらに、情報Ｅが終端ＴＳに格納されたとしても、分離部２４ｃ，２４ｄは、フレームバッファ２６ａ，２６ｂを有することで、伝送路３０ａ，３０ｂの伝送速度を低下させることなく、分離したデータ信号を情報Ｅに基づいて各ＩＦ盤２２に出力することができる。
【００７０】
なお、インタフェース信号およびフレーム信号を送受信するＩＦ盤をＩＦ盤１２−１〜ＩＦ盤１２−Ｍ，２２−１〜２２−ＭおよびＩＦ盤１２−（Ｍ＋１）〜１２−Ｎ，２２−（Ｍ＋１）〜２２−Ｎとしたが、本発明はこれに限定されない。例えば、インタフェース信号およびフレーム信号を送受信するＩＦ盤１２は、無作為に配置されてもよい。
【００７１】
なお、多重された多重信号としてＴＤＭ信号としたが、これに限定されず、波長分割多重信号等の他の規格の多重信号であってもよい。
《さらに別の実施形態》
図１４は、本件開示のＩＦ盤１２−ｋのさらに別の実施形態を示す。図１４に示す各要素において、図２に示すＩＦ盤１２−ｋの要素と同等の機能を有するものについては、同一の符号を付し詳細な説明は省略する。図１４に示すＩＦ盤１２−ｋでは、フレームバッファ９０と選択部９１とが、図２に示したＩＦ盤１２−ｋにおける選択部６６とフレームバッファ６７と異なる順序で配置される。すなわち、フレームバッファ９０は、受信部６４，６５が分離部１４ａ，１４ｂから受信したインタフェース信号またはフレーム信号を記憶する。選択部９１は、フレームバッファ９０に記憶されたインタフェース信号またはフレーム信号に対して、図２に示した選択部６６と同様の処理を施し、選択した信号を送信部６８に出力する。
【００７２】
また、図１４に示したＩＦ盤１２−ｋの送信部６２，６３は、図３に示した先頭ＴＳおよび終端ＴＳをインタフェース信号およびフレーム信号に付加する代わりに、図９に示した終端ＴＳをインタフェース信号およびフレーム信号に付加する。
【００７３】
なお、ＩＦ盤２２−１〜２２−Ｎは、図１４に示したＩＦ盤１２−ｋと同様の構成を有する。このため、ＩＦ盤２２−１〜２２−Ｎの内部要素の説明は、図１４に示したＩＦ盤１２−ｋの内部要素の符号を用いる。
【００７４】
また、図１４に示すＩＦ盤１２−ｋが搭載される伝送装置および伝送装置を有する伝送システムは、図１に示した伝送装置１０，２０および伝送システム１００と同様である。このため、図１と同様の要素については、詳細な説明は省略する。
【００７５】
さらに、上述したように、図１４に示した送信部６２，６３は、図９に示した終端ＴＳをインタフェース信号およびフレーム信号の終端に付加する。このため、例えば、通常動作の場合の送信側の伝送装置１０における信号の流れは、図１０に示した伝送装置１０と同様である。また、拡張動作の場合の送信側の伝送装置１０における信号の流れは、図１２に示した伝送装置１０と同様である。したがって、図１０および図１２と同様の動作についての説明は省略する。
【００７６】
図１５は、受信側の伝送装置２０における通常動作の場合の信号の流れを示す。図１５は、図１に示す伝送システム１００のうち、伝送装置１０から伝送装置２０へのデータ伝送にかかわる要素を示す。図５と同様に、図１５では、伝送路３０ａ，３０ｂを伝送する終端ＴＳが付加されたインタフェース信号またはフレーム信号を、データ信号７０（７０−１〜７０−Ｎ）として示し、インタフェース信号を白い矩形で示し、フレーム信号を網掛けの矩形で示す。
【００７７】
一方、図１６は、受信側の伝送装置２０における拡張動作の場合の信号の流れを示す。図１６は、図１５と同様に、図１に示す伝送システム１００のうち、伝送装置１０から伝送装置２０へのデータ伝送にかかわる要素を示す。図１６では、現用系の伝送路３０ａを伝送する終端ＴＳが付加されたインタフェース信号またはフレーム信号を、データ信号７０（７０−１〜７０−Ｎ）として示す。また、図１６は、予備系の伝送路３０ｂを伝送する終端ＴＳが付加されたフレーム信号を、データ信号８０（８０−１〜８０−Ｎ）として示す。さらに、図１６では、インタフェース信号とフレーム信号とを区別するために、インタフェース信号を白い矩形で示し、フレーム信号を網掛けの矩形で示す。
【００７８】
図１５および図１６に示す分離部２４ａ，２４ｂは、例えば、図１に示した伝送装置２０の分離部２４ａ，２４ｂと同様に、運用系および予備系の伝送路３０ａ，３０ｂを介してＴＤＭ信号を受信する。分離部２４ａ，２４ｂは、タイムスロット１〜タイムスロットＮに応じて、受信したＴＤＭ信号からデータ信号７０またはデータ信号８０を分離する。しかしながら、情報Ｅが終端ＴＳに格納されるために、分離部２４ａ，２４ｂは、リアルタイムに情報Ｅを参照することが困難であり、情報Ｅに基づいてデータ信号７０，８０を適切にＩＦ盤２２−１〜２２−Ｎにそれぞれ出力することが難しい。
【００７９】
そこで、分離部２４ａ，２４ｂは、メモリ２５に記憶されている各ＩＦ盤２２の情報に基づいて、通常動作および拡張動作にかかわらず次のように動作する。すなわち、分離部２４ａ，２４ｂは、インタフェース信号を送受信するＩＦ盤２２−１〜２２−Ｍに、データ信号７０−１〜７０−Ｍまたはデータ信号８０−１〜８０−Ｍをそれぞれ出力する。一方、分離部２４ａ，２４ｂは、フレーム信号を送受信するＩＦ盤２２−（Ｍ＋１）〜２２−Ｎに、全てのデータ信号７０−１〜データ信号７０−Ｎまたはデータ信号８０−１〜８０−Ｎをそれぞれ出力する。ＩＦ盤２２−１〜２２−Ｎの受信部６４，６５は、データ信号７０またはデータ信号８０を、分離部２４ａ，２４ｂからの出力に応じて受信する。ＩＦ盤２２−１〜２２−Ｎのフレームバッファ９０は、受信したデータ信号７０またはデータ信号８０を記憶する。
【００８０】
インタフェース信号を送受信するＩＦ盤２２−１〜２２−Ｍの選択部９１は、記憶されたデータ信号７０，８０に対しパリティ演算を行う。選択部９１は、パリティ演算の結果と終端ＴＳの情報Ｐとを比較して、所定の時間以上連続したパリティエラーが発生したか否かを判定する。選択部９１は、パリティエラーが検出されない場合、現用系の伝送路３０ａを介して受信したデータ信号を選択する。一方、選択部９１は、パリティエラーが検出された場合、予備系の伝送路３０ｂを介して受信したデータ信号を選択する。選択部９１は、選択したデータ信号を送信部６８に出力する。ただし、選択部９１は、選択したデータ信号の情報Ｅが「１」の場合、選択したデータ信号を破棄する。
【００８１】
一方、フレーム信号を送受信するＩＦ盤２２−（Ｍ＋１）〜２２−Ｎの選択部９１は、記憶されたデータ信号７０，８０に対しパリティ演算を行う。選択部９１は、パリティ演算の結果と終端ＴＳの情報Ｐとを比較して、所定の時間以上連続したパリティエラーが発生したか否かを判定する。選択部９１は、パリティエラーが検出された場合、パリティエラーが発生していない伝送路を介して受信したデータ信号を選択する。これに対して、選択部９１は、パリティエラーが検出されない場合、データ信号７０，８０の情報Ｅを参照する。選択部９１は、伝送路３０ａ，３０ｂからのデータ信号の情報Ｅが共に「０」の場合、現用系の伝送路３０ａを介して受信したデータ信号７０−１〜７０−Ｎを選択する。一方、選択部９１は、予備系の伝送路３０ｂからのデータ信号の情報Ｅが「１」の場合、予備系の伝送路３０ｂを介して受信したデータ信号８０−１〜８０−Ｎを選択する。そして、選択部９１は、選択したデータ信号を送信部６８に出力する。
【００８２】
本実施形態では、現用系および予備系の伝送路３０が正常に動作している場合、予備系の伝送路３０のインタフェース信号用のタイムスロットをフレーム信号用として用いることで、従来に比べて予備系の伝送路３０の帯域を有効に活用することができる。
【００８３】
また、送信部６２または送信部６３は、伝送路３０ａまたは伝送路３０ｂが予備系で帯域が拡張される場合、データ信号に付加される情報Ｅを「０」から「１」に設定し、分離部２４ａまたは分離部２４ｂは、情報Ｅに基づいて各ＩＦ盤２２にデータ信号を出力する。その結果、ＩＦ盤２２は適切にデータ信号を受信することができる。
【００８４】
さらに、分離部２４ａ，２４ｂは、インタフェース信号やフレーム信号を送受信するＩＦ盤２２に応じて分離したデータ信号を出力し、各ＩＦ盤２２は、情報Ｅに応じてデータ信号を選択することにより、伝送路３０における伝送速度の向上を図ることができる。
【００８５】
なお、インタフェース信号およびフレーム信号を送受信するＩＦ盤をＩＦ盤１２−１〜１２−Ｍ，２２−１〜２２−ＭおよびＩＦ盤１２−（Ｍ＋１）〜１２−Ｎ，２２−（Ｍ＋１）〜２２−Ｎとしたが、本発明はこれに限定されない。例えば、インタフェース信号およびフレーム信号を送受信するＩＦ盤１２，２２は、無作為に配置されてもよい。
【００８６】
なお、多重された多重信号としてＴＤＭ信号としたが、これに限定されず、波長分割多重信号等の他の規格の多重信号であってもよい。
【００８７】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００８８】
１０，２０…伝送装置；１１，２１…制御部；１２−１〜１２−Ｎ，２２−１〜２２−Ｎ…ＩＦ盤；１３ａ，１３ｂ，２３ａ，２３ｂ…多重部；１４ａ，１４ｂ，２４ａ，２４ｂ，２４ｃ，２４ｄ…分離部；１５，２５…メモリ；１６ａ，１６ｂ，２６ａ，２６ｂ…フレームバッファ；３０ａ〜３０ｄ…伝送路；４０−１〜４０−Ｎ，５０−１〜５０−Ｎ…端末装置；６１，６４，６５…受信部；６１，６７，９０…フレームバッファ；６２，６３，６８…送信部；６６，９１…選択部；７０−１〜７０−Ｎ，８０−１〜８０−Ｎ…データ信号；１００，２００…伝送システム
【図１】
2014165587.tif 000003
【図２】
2014165587.tif 000004
【図３】
2014165587.tif 000005
【図４】
2014165587.tif 000006
【図５】
2014165587.tif 000007
【図６】
2014165587.tif 000008
【図７】
2014165587.tif 000009
【図８】
2014165587.tif 000010
【図９】
2014165587.tif 000011
【図１０】
2014165587.tif 000012
【図１１】
2014165587.tif 000013
【図１２】
2014165587.tif 000014
【図１３】
2014165587.tif 000015
【図１４】
2014165587.tif 000016
【図１５】
2014165587.tif 000017
【図１６】
2014165587.tif 000018